(57)【要約】      （修正有）【課題】立体的な視覚効果が生まれ、天候や地形の制限を全く受けることがなく、伝統的な花火に取って代わる視覚効果を備える多元的安定映像の投影組立構造を提供する。【解決手段】多元的安定映像の投影組立構造は、自由移動生物３を入れ置く納置空間２１、納置空間側辺縁に固定され且つ納置空間に向いた映像装置２２を含む。映像装置は、納置空間の側辺に設置する固定部品２２１、固定部品に連接し且つ納置空間に向いた万華鏡２２２、万華鏡の別一端に連接し万華鏡の別一端に映し出された映像を撮影する撮影ユニット２２３、及び撮影ユニットに連接する投影ユニット２２４を含む。万華鏡を通じ、納置空間内で移動する生物の動きが多様な視覚効果をもたらす。本考案の特徴は、撮影ユニット及び投影ユニットを合わせる点にある。【選択図】図２
0003208557.tif 000002
【実用新案登録請求の範囲】
【請求項１】
主に自由移動する生物を入れ置く納置空間、及び該納置空間の側辺縁に固定し且つ一端が該納置空間向きの映像装置から構成された多元的安定映像の投影組立構造において、そのうち、
該映像装置は、該納置空間の一側に設置する固定部品、及び該固定部品を連接し、且つ一端は該納置空間に向ける万華鏡を備え、該映像装置は、更に該万華鏡の別一端に連接し、万華鏡の別一端に映し出された映像を撮影する撮影ユニット、及び該撮影ユニットに連接する投影ユニットを備えることを特徴とする多元的安定映像の投影組立構造。
【請求項２】
前記納置空間は、水槽であることを特徴とする請求項１記載の多元的安定映像の投影組立構造。
【請求項３】
前記納置空間の内部を移動する生物は、異なる色の魚類とすることを特徴とする請求項２記載の多元的安定映像の投影組立構造。
【請求項４】
前記異なる色の魚類は多彩な観賞魚とすることを特徴とする請求項３記載の多元的安定映像の投影組立構造。
【請求項５】
前記投影ユニットは、該撮影ユニットが撮影した映像を浮遊投影方式で投影することを特徴とする請求項１記載の多元的安定映像の投影組立構造。
【考案の詳細な説明】
【技術分野】
【０００１】
本考案は、投影組立構造に関するもので、特に投影物を多元的安定して投影する投影組立構造に係る。
【背景技術】
【０００２】
図１は、公知の特許の「万華鏡と水族生物の多元的観賞構造」の構造指示図（特許文献１参照）である。該公知は本考案の考案者の従来の案件であり、該観賞構造１は、多くの水族生物を収容する箱体１１及び該箱体１１側辺縁に固定する観賞装置１２を含む。そのうち、該観賞装置１２は、該箱体１１一側を連接する固定部品１２１及び該固定部品１２１上に設置し且つ一端は該箱体１１方向に向く万華鏡１２２を備える。使用時、色彩鮮やかな魚類、例として観賞魚を収容し、該万華鏡１２２で該箱体１１内の生物を観察することによって、該異なる色の魚類が泳ぎ、該万華鏡１２２が花火のように開き視覚の動態美を表現する。
【先行技術文献】
【特許文献】
【０００３】
【特許文献１】台湾実用新案登録第Ｍ４５２６１８号
【考案の概要】
【考案が解決しようとする課題】
【０００４】
前述の公知技術は、考案者が商品化した後、更に進歩且つ刷新し、該万華鏡１２２から現れる画面が多用途もしくは更に広い芸術的表現、例として天候、地形、環境に左右されずに伝統的花火に取って代わる視覚芸術が必要だと考えた。
【課題を解決するための手段】
【０００５】
本考案は、自由移動生物を入れ置く納置空間、該納置空間側辺縁に固定し且つ該納置空間向きの映像装置を含む。該映像装置は、該納置空間の側辺に設置する固定部品、該固定部品に連接し且つ納置空間向きの万華鏡、万華鏡の別一端に連接し該万華鏡の別一端に映し出された映像を撮影する撮影ユニット、及び該撮影ユニットに連接する投影ユニットを含む。該万華鏡を通じ、該納置空間内で移動する生物の動きが多様な視覚効果をもたらす。本考案の特徴は、撮影ユニット及び投影ユニットを合わせる点にあることを最も主要な特徴とする。
【考案の効果】
【０００６】
本考案の多元的安定映像の投影組立構造は、立体的な視覚効果が生まれ、天候や地形の制限を全く受けることがなく、伝統的な花火に取って代わる視覚効果を備える利点がある。
【図面の簡単な説明】
【０００７】
【図１】公知の立体指示図である。
【図２】本考案の立体指示図である。
【図３】本考案の万華鏡映像を撮影した指示図である。
【図４】本考案の作動指示図である。
【考案を実施するための形態】
【０００８】
多元的安定映像の投影組立構造を提供することを本考案の目的とする。
【０００９】
上述の目的を達成するため、本考案の多元的安定映像の投影組立構造は、自由移動する生物を入れ置く納置空間、及び該納置空間の側辺縁に固定し且つ一端が該納置空間向きの映像装置を含む。そのうち、該映像装置は、該納置空間の一側に設置する固定部品、該固定部品を連接し且つ一端は該納置空間に向ける万華鏡、該万華鏡の別一端に連接し該万華鏡の別一端に映し出された映像を撮影する撮影ユニット、及び該撮影ユニットに連接する投影ユニットを備える。
【００１０】
本考案の特徴として、該撮影ユニットで該万華鏡が表した該納置空間内の生物移動の動態を撮影し、該万華鏡内の画面は花火に似た美しい動態を表す。次に該投影ユニットでその美しい動態を特殊投影技術を用い、該撮影ユニットが撮影した画面を投射すると、真に迫る視覚効果をもたらす。実生活の中の事物を擬似的に表すことで、新しい視覚芸術を形成する。
【実施例】
【００１１】
本考案の目的、効果、特徴及び構造を更に良く理解するため、良好な実施例を挙げて、図式を提示して説明する。
【００１２】
図２は、本考案の立体指示図である。
【００１３】
図２に示すとおり、本考案は良好な実施例の多元的安定映像の投影組立構造２であり、それは自由移動する生物を入れ置く納置空間２１、及び該納置空間２１側辺縁に固定し且つ一端が該納置空間２１向きの映像装置２２を含む。また、前述の該納置空間２１は、本実施例では適時水槽２１Ａを例とする。移動生物については、観賞魚３を実施例とし、本考案では色彩鮮やかな魚類、例として多彩な観賞魚を該水槽内で泳がせる。
【００１４】
続いて、そのうち、該映像装置２２は該納置空間２１一側に設置する固定部品２２１、該固定部品２２１を連接し且つ一端は該納置空間２１に向ける万華鏡２２２、該万華鏡２２２の別一端に連接し且つ該万華鏡２２２別一端に映る映像を撮影する撮影ユニット２２３、及び該撮影ユニット２２３に連接する投影ユニット２２４を備える。また、前述の該投影ユニット２２４は適時、３Ｄ浮遊投影技術で撮影ユニット２２３が撮影した画面を空中に立体投射し、更に真に迫る視覚芸術を表すのに用いる。本実施例では花火の芸術を例としている。
【００１５】
図３及び図４を参考とし、図３は本考案の万華鏡２２２を撮影した映像の指示図であり、図４は本考案の作動指示図である。
【００１６】
図３、図４に示すとおり、使用時、先ず、観賞魚３を該水槽２Ａ内に入れる。次に万華鏡２２２と観賞魚３の游動状態を多重映像で表す。該観賞魚３が僅かに移動するだけで、該万華鏡２２２が同時に無限多重変化によって観賞画面を創造する。表れた視覚効果には多元的に咲き乱れるような視覚効果を備える。続いて、該撮影ユニット２２３で該万華鏡２２２内の映像を撮影する。最後に同時に該投影ユニット２２４は該撮影ユニット２２３の映像を浮遊投影技術によって該撮影ユニット２２３の映像を立体的に表す。該浮遊投影技術は、該投影ユニット２２４と該特殊媒質(図未提示)の特殊設置もしくは該特殊媒質本体の特性によって、該特殊媒質が該映像を空中で立体的に表現する。また該特殊媒質はベールもしくは光学鏡もしくはその他更に多くの同効果媒質でもよく、観客に直接該観賞魚３の千変万化の動態映像を見せ、３Ｄタイプの立体浮遊状態で表現しても良い。
【００１７】
該浮遊投影技術は、更に該投影ユニット２２４上にレーザー装置(図未提示)を増設してもよい。また該レーザー装置は、高出力の赤外線レーザー光を発射して投射の位置をスピーディにスキャンし、スポットの投射照準集中を通して必要な映像を組み合わせ、視覚残留効果を加え、観客には自由空間において直接該撮影ユニット２２３が撮影した映像が立体浮遊の様子を見せ、花火が開いたような視覚効果を表し、戸外同様の真に迫る花火が上がる視覚芸術を達成し、本考案の目的を達成する。
【００１８】
本考案の多元的安定映像の投影組立構造は以下の利点がある。
【００１９】
該撮影ユニット及投影ユニットによって、該万華鏡内の模様が立体化され、更に強いインパクト与える芸術性が生まれる。
【００２０】
該万華鏡内に映し出される映像を立体浮遊投影方式で投影することで、花火を擬似的に発射し、伝統的な花火の欠点、例として、排出される煙によって空気が汚染される、爆裂後の廃棄物汚染を解決する。
【００２１】
天候が悪い日に、花火を上げる場合、元の動態を完全に表すことができなかったり、花火が燃えにくくなり、観客は芸術美を楽しむことができなかったりするが、本考案は、疑似花火の芸術効果をもたらし、天候の制限を受けない。
【００２２】
本考案の簡単な組立構造によって、便利で、重複使用でき、環境保護に優れ、コストは伝統的花火より下がる。
【００２３】
本考案は、万華鏡によって多重映像効果を形成し、無限変化を備え、一般花火の動態及び色彩と比較しても、本考案は更に多様な効果を備える。
【００２４】
故に、本考案は、同種製品の中、極めて良好な進歩性及び実用性を備える。同時に国内外のこの種の構造の技術資料文献を調べたところ、確かに同じもしくは近似の構造が本考案申請前には未発見であるため、本考案は『創作性』、『進歩性』及び『産業利用性』の特許要件に符合することから、法令に基づきこれを申請する。
【００２５】
以上は、本考案の良好な実施例にすぎず、本考案の説明書及び請求項の範囲を応用した同効果構造変化は本考案の請求項の範囲に含まれる。
【符号の説明】
【００２６】
〈公知〉
１        観賞構造
１１        箱体
１２        観賞装置
１２１        固定部品
１２２        万華鏡
〈本考案〉
２        投影組立構造
２１        納置空間
２１Ａ      水槽
２２        映像装置
２２１        固定部品
２２２        万華鏡
２２３        撮影ユニット
２２４        投影ユニット
３        観賞魚
【図１】
0003208557.tif 000003
【図２】
0003208557.tif 000004
【図３】
0003208557.tif 000005
【図４】
0003208557.tif 000006